(57)【要約】【課題】広告主が支払う広告料に見合った広告コンテンツを広告表示装置で表示可能な広告管理装置、プログラム、広告配信システム及び広告管理方法を提供する。【解決手段】広告管理サーバ１は、広告料を含む広告コンテンツの配信依頼を受け付ける依頼情報受信部１１と、広告料に応じて各広告コンテンツに順位を付与する順位付与部１２と、広告コンテンツを表示する広告表示装置７の設置場所に関するロケーション情報に基づいて、予測閲覧者情報を生成する予測生成部１３と、広告コンテンツの出力時間帯を示す広告枠及び広告枠の価値を、予測生成部１３により生成した予測閲覧者情報に基づいて設定する価値設定部１４と、順位付与部１２により付与された順位と、価値設定部１４により設定した広告枠の価値とに基づいて、各広告コンテンツを出力する広告枠を決定する広告枠決定部１５と、を備える。【選択図】図１
2020071815.tif 000002
【特許請求の範囲】
【請求項１】
広告料を含む広告コンテンツの配信依頼を受け付ける依頼受付手段と、
前記広告料に応じて各広告コンテンツに順位を付与する順位付与手段と、
前記広告コンテンツを表示する広告表示装置の設置場所に関するロケーション情報に基づいて、予測閲覧者情報を生成する予測生成手段と、
前記広告コンテンツの出力時間帯を示す広告枠及び前記広告枠の価値を、前記予測生成手段により生成した前記予測閲覧者情報に基づいて設定する価値設定手段と、
前記順位付与手段により付与された順位と、前記価値設定手段により設定した前記広告枠の価値とに基づいて、各広告コンテンツを出力する前記広告枠を決定する広告枠決定手段と、
を備えた広告管理装置。
【請求項２】
請求項１に記載の広告管理装置において、
前記予測生成手段は、前記広告表示装置の設置位置情報と、外部要因情報とを含む前記ロケーション情報に基づいて、前記予測閲覧者情報を生成すること、
を特徴とする広告管理装置。
【請求項３】
請求項２に記載の広告管理装置において、
前記外部要因情報は、気象情報及びイベント情報の少なくとも一方を含むこと、
を特徴とする広告管理装置。
【請求項４】
請求項１から請求項３までのいずれかに記載の広告管理装置において、
前記予測生成手段は、前記広告表示装置の設置位置近傍の行動履歴情報を含む前記ロケーション情報に基づいて、前記予測閲覧者情報を生成すること、
を特徴とする広告管理装置。
【請求項５】
請求項１から請求項４までのいずれかに記載の広告管理装置において、
前記広告枠は、前記予測閲覧者情報にから得られた予測閲覧者の属性情報が対応付けられており、
前記広告コンテンツの属性情報を取得するコンテンツ属性取得手段を備え、
前記広告枠決定手段は、前記順位付与手段により付与された順位及び前記コンテンツ属性取得手段により取得した前記属性情報と、前記広告枠の前記属性情報及び前記広告枠の価値とに基づいて、各広告コンテンツを出力する前記広告枠を決定すること、
を特徴とする広告管理装置。
【請求項６】
請求項１から請求項５までのいずれかに記載の広告管理装置において、
前記価値設定手段は、さらに複数の前記広告表示装置の設置場所における前記広告枠の価値を、前記予測閲覧者情報に基づいて各々設定し、
前記広告枠決定手段は、前記順位付与手段により付与された順位と、各広告表示装置の設置場所における前記広告枠の価値とに基づいて、各広告コンテンツを出力する前記広告表示装置及び前記広告枠を決定すること、
を特徴とする広告管理装置。
【請求項７】
請求項１から請求項６までのいずれかに記載の広告管理装置としてコンピュータを機能させるためのプログラム。
【請求項８】
請求項１から請求項６までのいずれかに記載の広告管理装置と、
前記広告管理装置に対して通信可能に接続され、前記広告コンテンツを表示させる前記広告表示装置と、
を備える広告配信システム。
【請求項９】
依頼受付手段が、広告料を含む広告コンテンツの配信依頼を受け付けるステップと、
順位付与手段が、前記広告料に応じて各広告コンテンツに順位を付与するステップと、
予測生成手段が、前記広告コンテンツを表示する広告表示装置の設置場所に関するロケーション情報に基づいて、予測閲覧者情報を生成するステップと、
価値設定手段が、前記広告コンテンツの出力時間帯を示す広告枠及び前記広告枠の価値を、前記予測生成手段により生成した前記予測閲覧者情報に基づいて設定するステップと、
広告枠決定手段が、前記順位付与手段により付与された順位と、前記価値設定手段により設定した前記広告枠の価値とに基づいて、各広告コンテンツを出力する前記広告枠を決定するステップと、
を含む広告管理方法。
【発明の詳細な説明】
【技術分野】
【０００１】
本発明は、広告管理装置、プログラム、広告配信システム及び広告管理方法に関する。
【背景技術】
【０００２】
従来、駅や街中等の人が多く集まる場所には、宣伝効果が期待されることから、多くの広告スペースが設けられている。昨今は、デジタルサイネージに代表される広告表示装置によるデジタル画像や映像を用いた広告宣伝が主流になってきている。広告表示装置を利用して広告コンテンツを配信する際には、通常は、表示される時間帯や立地、放映時間等に応じた料金体系が予め決められている。
料金体系は、多くの場合、広告表示装置を運営管理する装置所有者等が決めたものである。そのため、広告主側にとっては、支払った広告料に対して期待された広告宣伝効果が得られていない、という費用対効果に対する疑問があった。
そこで、広告効果を測定するための方法を用いて、広告効果に準ずる広告料を算出する広告効果予測装置及び広告効果活用装置が開示されている（例えば、特許文献１参照）。
【先行技術文献】
【特許文献】
【０００３】
【特許文献１】特開２０１４−１６４４３９号公報
【発明の概要】
【発明が解決しようとする課題】
【０００４】
特許文献１に記載の方法は、測定した広告効果に見合った広告料を、後から徴収するものであった。よって、広告効果が高いと判断された場合に、特許文献１に記載の方法では、算出する広告料が高くなってしまう可能性があり、広告主にとっては予想外の高額な金額を請求されるリスクがあった。また、高額な広告料を支払ってでも広告宣伝効果を得たい広告主がいる一方で、ほどほどの広告料を支払ってほどほどの宣伝効果を得たい広告主もおり、広告主のニーズも様々である。
【０００５】
そこで、本発明は、広告主が支払う広告料に見合った広告コンテンツを広告表示装置で表示可能な広告管理装置、プログラム、広告配信システム及び広告管理方法を提供することを目的とする。
【課題を解決するための手段】
【０００６】
本発明は、以下のような解決手段により、前記課題を解決する。
第１の発明は、広告料を含む広告コンテンツの配信依頼を受け付ける依頼受付手段と、前記広告料に応じて各広告コンテンツに順位を付与する順位付与手段と、前記広告コンテンツを表示する広告表示装置の設置場所に関するロケーション情報に基づいて、予測閲覧者情報を生成する予測生成手段と、前記広告コンテンツの出力時間帯を示す広告枠及び前記広告枠の価値を、前記予測生成手段により生成した前記予測閲覧者情報に基づいて設定する価値設定手段と、前記順位付与手段により付与された順位と、前記価値設定手段により設定した前記広告枠の価値とに基づいて、各広告コンテンツを出力する前記広告枠を決定する広告枠決定手段と、を備えた広告管理装置である。
第２の発明は、第１の発明の広告管理装置において、前記予測生成手段は、前記広告表示装置の設置位置情報と、外部要因情報とを含む前記ロケーション情報に基づいて、前記予測閲覧者情報を生成すること、を特徴とする広告管理装置である。
第３の発明は、第２の発明の広告管理装置において、前記外部要因情報は、気象情報及びイベント情報の少なくとも一方を含むこと、を特徴とする広告管理装置である。
第４の発明は、第１の発明から第３の発明までのいずれかの広告管理装置において、前記予測生成手段は、前記広告表示装置の設置位置近傍の行動履歴情報を含む前記ロケーション情報に基づいて、前記予測閲覧者情報を生成すること、を特徴とする広告管理装置である。
第５の発明は、第１の発明から第４の発明までのいずれかの広告管理装置において、前記広告枠は、前記予測閲覧者情報にから得られた予測閲覧者の属性情報が対応付けられており、前記広告コンテンツの属性情報を取得するコンテンツ属性取得手段を備え、前記広告枠決定手段は、前記順位付与手段により付与された順位及び前記コンテンツ属性取得手段により取得した前記属性情報と、前記広告枠の前記属性情報及び前記広告枠の価値とに基づいて、各広告コンテンツを出力する前記広告枠を決定すること、を特徴とする広告管理装置である。
第６の発明は、第１の発明から第５の発明までのいずれかの広告管理装置において、前記価値設定手段は、さらに複数の前記広告表示装置の設置場所における前記広告枠の価値を、前記予測閲覧者情報に基づいて各々設定し、前記広告枠決定手段は、前記順位付与手段により付与された順位と、各広告表示装置の設置場所における前記広告枠の価値とに基づいて、各広告コンテンツを出力する前記広告表示装置及び前記広告枠を決定すること、を特徴とする広告管理装置である。
第７の発明は、第１の発明から第６の発明までのいずれかの広告管理装置としてコンピュータを機能させるためのプログラムである。
第８の発明は、第１の発明から第６の発明までのいずれかの広告管理装置と、前記広告管理装置に対して通信可能に接続され、前記広告コンテンツを表示させる前記広告表示装置と、を備える広告配信システムである。
第９の発明は、依頼受付手段が、広告料を含む広告コンテンツの配信依頼を受け付けるステップと、順位付与手段が、前記広告料に応じて各広告コンテンツに順位を付与するステップと、予測生成手段が、前記広告コンテンツを表示する広告表示装置の設置場所に関するロケーション情報に基づいて、予測閲覧者情報を生成するステップと、価値設定手段が、前記広告コンテンツの出力時間帯を示す広告枠及び前記広告枠の価値を、前記予測生成手段により生成した前記予測閲覧者情報に基づいて設定するステップと、広告枠決定手段が、前記順位付与手段により付与された順位と、前記価値設定手段により設定した前記広告枠の価値とに基づいて、各広告コンテンツを出力する前記広告枠を決定するステップと、を含む広告管理方法である。
【発明の効果】
【０００７】
本発明によれば、広告主が支払う広告料に見合った広告コンテンツを広告表示装置で表示可能な広告管理装置、プログラム、広告配信システム及び広告管理方法を提供することができる。
【図面の簡単な説明】
【０００８】
【図１】本実施形態に係る広告配信システムの全体概要図及び広告管理サーバの機能ブロックを示す図である。
【図２】本実施形態に係る広告管理サーバの記憶部の例を示す図である。
【図３】本実施形態に係る広告配信システムの広告コンテンツ配信処理を示すフローチャートである。
【図４】本実施形態に係る広告管理サーバの広告枠決定処理を示すフローチャートである。
【図５】本実施形態に係る広告管理サーバの広告枠決定処理を説明するための図である。
【発明を実施するための形態】
【０００９】
以下、本発明を実施するための形態について、図を参照しながら説明する。なお、これは、あくまでも一例であって、本発明の技術的範囲は、これに限られるものではない。
（実施形態）
＜広告配信システム１００の全体構成＞
図１は、本実施形態に係る広告配信システム１００の全体概要図及び広告管理サーバ１の機能ブロックを示す図である。
図２は、本実施形態に係る広告管理サーバ１の記憶部２０の例を示す図である。
【００１０】
広告配信システム１００は、広告管理サーバ１（広告管理装置）が、各広告主が用いる広告主端末８から、広告料を含む広告コンテンツの配信依頼を受け付ける。そして、広告配信システム１００は、広告管理サーバ１が、広告料に応じた価値を有する広告表示装置７の広告枠に、広告料に対応した広告コンテンツを表示させるように、広告枠を決定する。
【００１１】
広告配信システム１００は、広告管理サーバ１と、広告表示装置７と、広告主端末８とを備え、各々通信ネットワークＮを介して接続されている。なお、図１では、広告管理サーバ１と広告表示装置７、広告管理サーバ１と広告主端末８とが、各々通信ネットワークＮを介して接続されるものを例に説明するが、これに限定されるものではない。広告管理サーバ１が、広告表示装置７と、広告主端末８とに対して通信ネットワークＮを介して接続されていればよい。通信ネットワークＮは、例えば、インターネット回線等の通信網である。
【００１２】
＜広告管理サーバ１＞
広告管理サーバ１は、複数の広告主からの依頼を受け、広告コンテンツの複数の広告表示装置７への表示スケジュールを管理するサーバである。広告管理サーバ１は、例えば、複数の広告表示装置７を所有する企業が有してもよい。また、広告管理サーバ１は、広告表示装置７を所有する複数の企業と、複数の広告主とをマッチングさせる広告仲介業者が有してもよい。
広告管理サーバ１は、広告主端末８から広告コンテンツの配信依頼を受信し、広告コンテンツを配信する広告表示装置７と、広告枠とを、配信依頼に含む広告料に基づいて決定する。
【００１３】
広告管理サーバ１は、制御部１０と、記憶部２０と、通信インタフェース部２９とを備える。
制御部１０は、広告管理サーバ１の全体を制御する中央処理装置（ＣＰＵ）である。制御部１０は、記憶部２０に記憶されているオペレーティングシステム（ＯＳ）や、各種のアプリケーションプログラムを適宜読み出して実行することにより、上述したハードウェアと協働し、各種機能を実行する。
制御部１０は、依頼情報受信部１１（依頼受付手段）と、順位付与部１２（順位付与手段）と、予測生成部１３（予測生成手段）と、価値設定部１４（価値設定手段）と、広告枠決定部１５（広告枠決定手段）と、広告配信部１６とを備える。
【００１４】
依頼情報受信部１１は、広告主端末８から広告コンテンツの配信依頼を受信する。広告配信システム１００が、例えば、依頼受付専用のＷｅｂページを予め用意しておき、依頼情報受信部１１は、Ｗｅｂページを介して配信依頼を受信してもよい。また、依頼情報受信部１１は、電子メールによって配信依頼を受信してもよい。広告コンテンツの配信依頼には、配信を要求する広告コンテンツ本体と、広告料と、配信希望日とを含む情報を有する。ここで、広告コンテンツ本体は、予め広告コンテンツ記憶部２２に記憶されていてもよい。その場合には、コンテンツの配信依頼は、広告コンテンツ本体に代えて、広告コンテンツを識別可能な広告コンテンツＩＤ（ＩＤｅｎｔｉｆｉｃａｔｉｏｎ）を含む。また、依頼情報受信部１１は、初回の配信依頼時には、配信を要求する広告コンテンツ本体と、広告料と、配信希望日とを含む配信依頼を受信し、同じ広告コンテンツに対する２回目以降の配信依頼時には、広告コンテンツＩＤと、広告料と、配信希望日とを含む配信依頼を受信してもよい。
【００１５】
順位付与部１２は、例えば、同日に配信を希望する複数の広告コンテンツに対応する広告料の金額の大きさから、各広告コンテンツに順位を付与する。
予測生成部１３は、広告コンテンツを表示する広告表示装置７の設置場所に関するロケーション情報に基づいて、予測閲覧者情報を生成する。
【００１６】
ここで、ロケーション情報には、広告表示装置７の設置位置情報と、外部要因情報とを含む。広告表示装置７の設置位置情報としては、例えば、住所や駅名等の場所の名前や、屋内か屋外かといった設置された場所に関する情報がある。加えて、広告表示装置７の設置位置情報に、モニタ（表示領域）のサイズ等の情報を含んでもよい。また、外部要因情報としては、天気や気温といった気象情報や、設置された場所の付近で行われる、集客の見込めるイベント情報がある。
【００１７】
また、ロケーション情報には、広告表示装置７の設置位置近傍の行動履歴情報を含んでもよい。行動履歴情報は、例えば、曜日及び時間帯ごとの設置位置付近の人数に関する情報や、設置位置付近の店舗での購買情報である。人数に関する情報は、例えば、携帯端末を所持するユーザの人数である。また、購買情報は、例えば、店舗のＰＯＳ（Ｐｏｉｎｔ−Ｏｆ−Ｓａｌｅ）端末から得られる売上情報である。行動履歴情報は、例えば、広告管理サーバ１と通信ネットワークＮを介して接続された各種の履歴記憶装置（図示せず）から取得することで、得ることができる。
【００１８】
そして、予測生成部１３は、ロケーション情報を分析して、予測閲覧者情報を生成する。予測生成部１３は、予測閲覧者情報として予測閲覧者数に関する情報を生成する。
例えば、広告表示装置７の設置位置が屋外であり、設置位置付近の天気が雨の予報であれば、予測生成部１３は、予測閲覧者情報として、天候を考慮した少ない人数を予測した情報を生成する。逆に、広告表示装置７の設置位置が屋内であれば、設置位置付近の天気が雨の予報であっても、予測生成部１３は、予測閲覧者情報として、天候を考慮しない人数を予測した情報を生成する。
【００１９】
また、予測生成部１３は、予測閲覧者数に加えて、予測閲覧者の年齢層、性別等の予測閲覧者の属性情報を含む予測閲覧者情報を生成してもよい。例えば、配信希望日に多くの人が訪れるようなイベントが予定されている場合には、予測生成部１３は、予測閲覧者情報として、そのイベントに興味を示す年齢層や性別の人数を多く予測した情報を生成する。
【００２０】
さらに、予測生成部１３は、１時間ごと等の時間帯ごとに予測閲覧者情報を生成してもよい。例えば、予測生成部１３は、イベントが開催される前後の時間帯と、イベント開催中の時間帯とでは、予測閲覧者数が異なる予測閲覧者情報を生成する。
【００２１】
価値設定部１４は、広告コンテンツの出力時間帯を示す広告枠及びその価値を、予測閲覧者情報に基づいて設定する。広告枠は、一律の大きさの時間幅で設定してもよいし、例えば、価値がほぼ均等になるように、時間幅の大小があってもよい。
広告枠決定部１５は、順位付与部１２により付与された各広告コンテンツの順位と、価値設定部１４により設定した広告枠の価値とに基づいて、各広告コンテンツを出力する広告枠を決定する。
広告配信部１６は、決定した広告枠に広告コンテンツを表示させるための情報を、広告表示装置７に対して送信する。広告配信部１６が配信する情報は、例えば、広告コンテンツ本体である。
なお、これらの各機能の詳細については、後述する。
【００２２】
記憶部２０は、広告管理サーバ１の動作に必要なプログラム、データ等を記憶するためのハードディスク、半導体メモリ素子等の記憶装置である。
なお、本発明でいうコンピュータとは、制御部、記憶装置等を備えた情報処理装置をいい、広告管理サーバ１は、制御部１０、記憶部２０等を備えた情報処理装置であり、本発明のコンピュータの概念に含まれる。
記憶部２０は、プログラム記憶部２１と、広告コンテンツ記憶部２２と、依頼情報記憶部２３と、装置情報記憶部２４と、広告枠記憶部２５とを備える。
【００２３】
プログラム記憶部２１は、各種のプログラムを記憶する記憶領域である。プログラム記憶部２１には、広告管理サーバ１の制御部１０が実行する各種機能を行うためのプログラムが少なくとも記憶されている。
広告コンテンツ記憶部２２は、広告コンテンツを記憶する記憶領域である。例えば、図２（Ａ）に示す広告コンテンツ記憶部２２は、広告コンテンツＩＤをキーとして、広告主名と、広告コンテンツとを記憶する。広告コンテンツは、広告表示装置７で放映されるコンテンツ本体であり、例えば、動画コンテンツである。
【００２４】
依頼情報記憶部２３は、広告主端末８から受信した配信依頼の情報を記憶する記憶領域である。例えば、図２（Ｂ）に示す依頼情報記憶部２３は、広告コンテンツＩＤをキーにして、配信希望日と、広告料とを記憶する。配信希望日は、日ごとであってもよいし、１週間等の期間であってもよい。また、配信希望日は、時間帯を含むものであってもよい。
装置情報記憶部２４は、広告表示装置７の設置位置に関する情報を記憶する記憶領域である。例えば、図２（Ｃ）に示す装置情報記憶部２４は、広告表示装置７であるサイネージごとに、場所名と、屋内／屋外区分と、モニタサイズとを記憶している。
【００２５】
広告枠記憶部２５は、広告表示装置７ごとの広告枠を記憶する記憶領域である。広告枠記憶部２５は、広告枠に価値を対応付けて記憶する。図２（Ｄ）に示す広告枠記憶部２５は、広告枠の時間幅が１時間おきといった一定間隔である場合の例である。また、価値の高さを、「高」、「中」、「低」の３つで表している。
なお、図２で例示した記憶部２０の項目及びその内容は一例である。
図１に示す通信インタフェース部２９は、通信ネットワークＮを介して広告表示装置７及び広告主端末８との間の通信を行うためのインタフェースである。
【００２６】
＜広告表示装置７＞
広告表示装置７は、例えば、デジタルサイネージであり、液晶ディスプレイ等のモニタを有する。広告表示装置７は、様々な場所に設置されており、モニタサイズも様々である。そして、広告表示装置７は、広告管理サーバ１から受信した広告コンテンツを、広告枠に応じて表示する。図示していないが、広告表示装置７は、モニタの他、制御部、記憶部、通信インタフェース部等を備える。
【００２７】
＜広告主端末８＞
広告主端末８は、各広告主が操作をする端末である。広告主端末８は、例えば、パーソナルコンピュータ（ＰＣ）や、タブレット端末等で構成することができる。図示していないが、広告主端末８は、制御部、記憶部、表示部、入力部、通信インタフェース部等を備える。
【００２８】
＜処理の説明＞
次に、広告配信システム１００の処理について説明する。
図３は、本実施形態に係る広告配信システム１００の広告コンテンツ配信処理を示すフローチャートである。
図４は、本実施形態に係る広告管理サーバ１の広告枠決定処理を示すフローチャートである。
図５は、本実施形態に係る広告管理サーバ１の広告枠決定処理を説明するための図である。
【００２９】
以下に説明する処理の前提として、広告コンテンツ記憶部２２には、予め広告コンテンツ本体等が記憶されているものとする。
図３のステップＳ（以下、単に「Ｓ」という。）１０において、各広告主は、広告コンテンツの配信希望日より前の適宜のタイミングで、広告主端末８を操作して、広告コンテンツの配信依頼を、広告管理サーバ１に対して送信する。配信依頼には、広告コンテンツを特定するための広告コンテンツＩＤの他、配信希望日、広告料の情報を含む。
一例として、広告管理サーバ１が、ある配信希望日に広告コンテンツを配信したい広告主を募集して、広告主端末８が、募集に対する返答をすることで、広告コンテンツの配信依頼を、広告管理サーバ１に対して送信してもよい。
【００３０】
Ｓ２０において、広告管理サーバ１の制御部１０（依頼情報受信部１１）は、広告コンテンツの配信依頼を受信する。
Ｓ２１において、制御部１０（依頼情報受信部１１）は、受信した広告コンテンツの配信依頼の情報を、依頼情報記憶部２３に記憶させる。
【００３１】
Ｓ２２において、制御部１０は、対象の配信希望日（例えば、「○月×日」）の配信依頼の受付を終了したか否かを判断する。制御部１０は、配信依頼の受付終了を、例えば、配信希望日前日の１２時まで等、予め終了日時を設定しておく。対象の配信希望日の配信依頼の受付を終了した場合（Ｓ２２：ＹＥＳ）には、制御部１０は、処理をＳ２３に移す。他方、対象の配信希望日の配信依頼の受付を終了していない場合（Ｓ２２：ＮＯ）には、制御部１０は、処理をＳ２０に移す。
Ｓ２３において、制御部１０は、広告枠決定処理を行う。
【００３２】
ここで、広告枠決定処理について、図４に基づき説明する。
図４のＳ４０において、広告管理サーバ１の制御部１０（順位付与部１２）は、依頼情報記憶部２３を参照し、処理対象の配信希望日のレコードを抽出し、抽出したレコードの広告料に基づいて、広告コンテンツの順位を付与する。図５に示す依頼情報記憶部２３の例では、同日に配信希望の広告コンテンツが、広告コンテンツａ〜ｃの３つある場合である。広告主Ａによる広告コンテンツａの広告料が１０００万円であり、広告主Ｂによる広告コンテンツｂの広告料が２０００万円であり、広告主Ｃによる広告コンテンツｃの広告料が３０００万円である場合、順位付与部１２は、広告料が高い順に順位を付与するため、１番を広告コンテンツｃとし、以降順に広告コンテンツｂ、ａと順位付けを行う。つまり、順位付与部１２は、広告料が高い方が、順位が上位になるように、順位を付与する。
【００３３】
Ｓ４１において、制御部１０（予測生成部１３）は、ロケーション情報に基づいて、広告表示装置７ごとに予測閲覧者情報を生成する。
例えば、対象の配信希望日の天気が雨の予報であったり、晴れていても猛暑日の予報であったり、真冬日の予報であったりすると、予測生成部１３は、屋外の広告表示装置７の予測閲覧者数を少なく算出する。また、対象の配信希望日にある広告表示装置７の付近でアイドルのイベントが行われる場合には、予測生成部１３は、その広告表示装置７のイベント開催前後の予測閲覧者数を多く算出する。
【００３４】
Ｓ４２において、制御部１０（価値設定部１４）は、予測閲覧者情報に基づいて、広告枠とその価値を設定する。図５の左側に示す広告枠記憶部２５の例では、１時間ごとに区切った広告枠に、「高」、「中」、「低」の３つのランクによって、広告枠の価値が設定されている。図５に示す例では、広告表示装置７であるサイネージＸが、サイネージＹよりも価値が高く、１２：００からの１時間の広告枠の価値がいずれの広告表示装置７も高いことを示す。
【００３５】
Ｓ４３において、制御部１０（広告枠決定部１５）は、価値が高い広告枠と、順位が上位の広告コンテンツとを対応付けて、各広告枠に出力させる広告コンテンツを決定する。
図５に示す右側の広告枠記憶部２５の例では、順位の高い広告コンテンツｃが、価値の高い広告枠で表示されることを示す。そして、広告枠決定部１５は、広告枠を、広告コンテンツｃが３つ、広告コンテンツｂが２つ、広告コンテンツａが１つの比率で決定している。この例での比率は、広告料の比率に一致する。
【００３６】
なお、これは一例であり、例えば、サイネージＸ、サイネージＹのいずれも１０時台を広告コンテンツａとし、１１時台を広告コンテンツｂとし、１２時台を広告コンテンツｃとしてもよい。この場合、広告配信システム１００は、価値が高い時間帯に、順位が上位の広告コンテンツを表示させ、かつ、サイネージＸ、サイネージＹのいずれにも、各広告コンテンツａ〜ｃを表示させる。
その後、制御部１０は、処理を図３のＳ２４に移す。
【００３７】
図３のＳ２４において、制御部１０は、時刻が広告コンテンツの配信タイミングになったか否かを判断する。配信タイミングになった場合（Ｓ２４：ＹＥＳ）には、制御部１０は、処理をＳ２５に移す。他方、配信タイミングになっていない場合（Ｓ２４：ＮＯ）には、制御部１０は、配信タイミングになるまで、本処理にとどまる。
【００３８】
Ｓ２５において、制御部１０（広告配信部１６）は、広告枠記憶部２５を参照し、各広告表示装置７に対して、配信タイミングに対応した広告コンテンツ本体を配信する。
図５の例で説明すると、例えば、１０時より少し前のタイミングで、広告配信部１６は、サイネージＸに広告コンテンツｂを配信し、サイネージＹに広告コンテンツａを配信する。なお、１１時台と１２時台のサイネージＸでは、いずれも広告コンテンツｃが表示されるものであるが、このような場合には、広告配信部１６が１１時より少し前のタイミングで広告コンテンツｃを配信すれば、１２時より少し前のタイミングで再度配信する必要がない。また、広告配信部１６がコンテンツＩＤを送信し、広告表示装置７が広告コンテンツ本体を要求して取得するものであってもよい。
【００３９】
Ｓ２６において、制御部１０は、対象の配信希望日の全ての広告枠の広告コンテンツを配信したか否かを判断する。全ての広告枠の広告コンテンツを配信した場合（Ｓ２６：ＹＥＳ）には、制御部１０は、本処理を終了する。他方、全ての広告枠の広告コンテンツを配信していない場合（Ｓ２６：ＮＯ）には、制御部１０は、処理をＳ２４に移す。
【００４０】
Ｓ３０において、各広告表示装置７の制御部は、広告コンテンツ本体を受信して、モニタに表示させる広告コンテンツ表示処理を行う。その後、広告表示装置７は、本処理を終了する。
【００４１】
このように、本実施形態によれば、広告管理サーバ１は、以下のような効果がある。
（１）広告料に応じて各広告コンテンツに順位を付与し、広告表示装置７のロケーション情報に基づいて生成した予測閲覧者情報に基づいて広告枠とその価値を設定し、順位と、広告枠の価値とに基づいて、各広告コンテンツを出力する広告枠を決定する。よって、広告料が他の広告主の広告料よりも高い場合には、順位が上位になり、価値の高い広告枠で広告コンテンツを広告表示装置７に表示させることができる。その結果として、広告主が支払う広告料に見合った広告コンテンツを、広告表示装置７で表示できる。
【００４２】
（２）予測閲覧者情報は、広告表示装置７の設置位置に関する情報の他、気象情報やイベント情報といった外部要因情報を用いて生成するので、広告コンテンツ配信時にその広告コンテンツを見ると思われる閲覧者に近い予測を行うことができる。よって、広告料に見合った効果を得られる可能性を高めることができる。
（３）予測閲覧者情報は、行動履歴情報を用いて生成するので、今までの実際の閲覧者の傾向から、広告コンテンツ配信時の閲覧者に近い予測を行うことができる。よって、広告料に見合った効果を得られる可能性を高めることができる。
【００４３】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４４】
（変形形態）
（１）本実施形態では、広告コンテンツ記憶部を、広告管理サーバが有するものを例に説明したが、これに限定されない。広告コンテンツ記憶部は、広告管理サーバ、広告表示装置、広告主端末の各々から通信可能に接続された広告コンテンツＤＢ（データベース）に記憶されていてもよい。その場合、広告主端末から広告コンテンツ本体を広告コンテンツＤＢに送信し、広告表示装置は、表示する広告コンテンツの本体を、広告コンテンツＤＢから受信するようにすればよい。そのようにすれば、広告管理サーバは、広告コンテンツ本体自体を管理せずに済む。
【００４５】
（２）本実施形態では、広告枠に設定された時間を一定時間（１時間）にして各広告枠の価値を設定するものを説明したが、これに限定されない。広告枠に設定する時間は、一定時間でなくてもよい。その場合には、設定した広告枠の時間の長さや、時間帯に応じて広告枠の価値を算出すればよい。
（３）本実施形態では、複数の広告表示装置において、複数の広告コンテンツを表示させるものを例に説明したが、これに限定されない。広告表示装置ごとに１つの広告コンテンツを表示するようにしてもよいし、複数の広告コンテンツを１つの広告表示装置に表示するように決定してもよい。
【００４６】
（４）本実施形態では、１つの広告枠に１つの広告コンテンツを表示させるものを例に説明したが、これに限定されない。価値の高い広告枠には、複数の広告コンテンツを順番に表示させ、価値の低い広告枠には、１つの広告コンテンツを表示させように、広告枠の価値に応じて、表示させる広告コンテンツの数を変えてもよい。また、１つの広告枠に１つの広告コンテンツを表示させるものであっても、価値の高い場所かつ時間帯は、広告枠に対応した時間を短くしてもよい。そのようにすれば、結果として、ある時間帯では、複数の広告コンテンツを順番に表示させることができる。
【００４７】
（５）本実施形態では、広告枠の価値と、広告コンテンツの順位とに基づいて広告枠を決定するものを例に説明したが、これに限定されない。広告枠には、予測閲覧者情報に基づく予測閲覧者の属性情報を対応付けておき、コンテンツ属性取得手段から得られた広告コンテンツの属性情報を加味して、広告枠を決定してもよい。その際、広告コンテンツの属性情報は、広告コンテンツに予め関連付けられたものであってもよいし、広告管理サーバが広告コンテンツを解析することで得てもよい。そうすることで、広告コンテンツを、よりその広告コンテンツに対するニーズのある人に見せることができる。
【００４８】
（６）本実施形態では、予め広告主が支払った広告料に見合った広告コンテンツを広告表示装置で表示するものを説明したが、これに限定されない。広告料に見合った広告コンテンツを広告表示装置で表示するものであれば、後から広告料を支払うものであってもよい。
例えば、広告コンテンツを表示した際に、表示した広告コンテンツに対してリーチ（認識）した人数を推定し、推定人数に対する広告料を決定するものであってもよい。推定人数を算出する方法としては、例えば、広告表示装置に備えられ、広告表示装置に対面する位置を撮影するカメラで撮影した画像から人数を検知するものの他、広告表示装置の周辺の音を集音し、解析することで人数を得てもよい。または、広告表示装置が駅構内にある場合には、改札を通過した人数を用いてもよいし、携帯端末等のＧＰＳ機能を用いてもよい。
【符号の説明】
【００４９】
１    広告管理サーバ
７    広告表示装置
８    広告主端末
１０  制御部
１１  依頼情報受信部
１２  順位付与部
１３  予測生成部
１４  価値設定部
１５  広告枠決定部
１６  広告配信部
２０  記憶部
２２  広告コンテンツ記憶部
２３  依頼情報記憶部
２４  装置情報記憶部
２５  広告枠記憶部
１００  広告配信システム
【図１】
2020071815.tif 000003
【図２】
2020071815.tif 000004
【図３】
2020071815.tif 000005
【図４】
2020071815.tif 000006
【図５】
2020071815.tif 000007